(57)【要約】【課題】低コストで、長期間の使用に耐え得る脱臭剤を提供すること。【解決手段】光触媒半導体を固定した通気性を有するシート材からなる包装体１の内部に、活性炭等の吸着剤２を収容する。【選択図】  図１
2004267484.tif 000002
【特許請求の範囲】
【請求項１】
光触媒半導体を固定した通気性を有するシート材からなる包装体の内部に、活性炭等の吸着剤を収容してなることを特徴とする脱臭剤。
【請求項２】
包装体の設置面の下方に空間部を形成したことを特徴とする請求項１記載の脱臭剤。
【請求項３】
包装体の端部を下方に折り曲げることによって空間部を形成するようにしたことを特徴とする請求項２記載の脱臭剤。
【発明の詳細な説明】
【０００１】
【発明の属する技術分野】
本発明は、活性炭等の吸着剤を用いた脱臭剤に関するものである。
【０００２】
【従来の技術】
従来、冷蔵庫や下駄箱等の臭気を吸着、除去するために、活性炭等の吸着剤を用いた脱臭剤が汎用されている。
【０００３】
ところで、活性炭等の吸着剤を用いた脱臭剤は、吸着剤の有効期間に限りがあり、一定の期間を経過すると、臭気の吸着、除去性能が著しく低下するという問題があった。
【０００４】
この問題点を解消するため、吸着剤に光触媒半導体を固定した脱臭剤が提案されている（例えば、特許文献１参照）。
【０００５】
【特許文献１】
特開平９−７５４３４号公報
【０００６】
【発明が解決しようとする課題】
しかしながら、上記吸着剤に光触媒半導体を固定した脱臭剤は、製造設備及び製造工程が複雑となるため、脱臭剤の製造コストが著しく上昇するという問題があり、このため、低コストで、長期間の使用に耐え得る脱臭剤の提供が要請されていた。
【０００７】
本発明は、上記従来の脱臭剤の有する問題点に鑑み、低コストで、長期間の使用に耐え得る脱臭剤を提供することを目的とする。
【０００８】
【課題を解決するための手段】
上記目的を達成するため、本発明の脱臭剤は、光触媒半導体を固定した通気性を有するシート材からなる包装体の内部に、活性炭等の吸着剤を収容してなることを特徴とする。
【０００９】
この脱臭剤は、活性炭等の吸着剤により、臭気を吸着、除去することと併せて、吸着剤の包装体を構成する光触媒半導体を固定した通気性を有するシート材により、臭気を分解、除去することができ、吸着剤の有効期間を延ばすとともに、吸着剤の吸着性能が低下した場合でも、光触媒半導体を固定したシート材が有する臭気の分解性能によって、臭気を分解、除去することができる。
【００１０】
この場合において、包装体の設置面の下方に空間部を形成することができる。
【００１１】
これにより、包装体を構成する光触媒半導体を固定した通気性を有するシート材による臭気の分解、除去効果を確実に発揮させることができる。
【００１２】
そして、包装体の設置面の下方の空間部は、包装体の端部を下方に折り曲げることによって形成することができる。
【００１３】
これにより、コストをかけることなく、包装体を構成する光触媒半導体を固定した通気性を有するシート材による臭気の分解、除去効果を確実に発揮させることができる脱臭剤を得ることができる。
【００１４】
【発明の実施の形態】
以下、本発明の脱臭剤の実施の形態を図面に基づいて説明する。
【００１５】
図１に、本発明の脱臭剤の一実施例を示す。
この脱臭剤は、光触媒半導体を固定した通気性を有するシート材からなる包装体１の内部に、活性炭等の吸着剤２を収容してなるもので、これをそのまま、あるいは、合成樹脂製、金属製等の網籠状の容器に詰めて、冷蔵庫や下駄箱等に設置することによって、当該設置箇所の臭気を吸着及び分解して除去するものである。
【００１６】
この場合において、包装体１を構成する通気性を有するシート材には、特に限定されるものではないが、天然繊維、合成繊維、特に、単糸繊度が０．５デニール以下である、レーヨン、ポリエステル系繊維、ポリアミド系繊維から選ばれた極細繊維からなる不織布を好適に使用することができる。
【００１７】
この通気性を有するシート材に固定する光触媒半導体には、光の照射等による特定の条件下で（特に、比較的弱い光の下でも）励起されて、酸化、還元作用を惹起し、有害物質を分解し、消臭、抗菌、防カビ及び防汚の効果を発揮する物質を用いるようにする。
このような光触媒半導体としては、チタンとケイ素からなる複合酸化物のほか、ＴｉＯ２、ＺｎＯ、ＳｒＴｉＯ３、ＣｄＳ、ＣｄＯ、ＣａＰ、ＩｎＰ、Ｉｎ２Ｏ３、ＣａＡｓ、ＢａＴｉＯ３、Ｋ２ＮｂＯ３、Ｆｅ２Ｏ３、Ｔａ２Ｏ５、ＷＯ３、ＳｂＯ２、Ｂｉ２Ｏ３、ＮｉＯ、Ｃｕ２Ｏ、ＳｉＣ、ＳｉＯ２、ＭｏＳ２、ＭｏＳ３、ＩｎＰｂ、ＲｕＯ２及びＣｅＯ２から選ばれた少なくとも１種を使用することができる。
これらの光触媒半導体は、単独又は２種以上を組み合わせて用いることができる。
特に、高い光触媒作用を有し、化学的に安定であり、かつ、無害である酸化チタン系化合物がより好ましく使用される。なお、酸化チタン系化合物としては、いわゆる酸化チタンのほか、含水酸化チタン水和酸化チタン、水酸化チタン、メタチタン酸、オルトチタン酸等を包含する。そして、これらの中でも、アナターゼ型結晶形を有する酸化チタン系化合物が優れた光触媒活性を発揮するので好ましい。
【００１８】
そして、上記光触媒半導体は、包装体１を構成する通気性を有するシート材を構成する炭化水素系成分を含む有機物質と隔離した形で固定するようにする。
ここで、「隔離」とは、光触媒半導体が、シート材を構成する炭化水素系成分を含む有機物質、すなわち、繊維等と直接接触していない状態を意味し、このため、炭化水素系成分を含まないか、あるいは極少量含む樹脂、例えば、シリコーン系及びフッ素系樹脂から選ばれた少なくとも１種の樹脂で光触媒半導体を部分的に被覆したものや光触媒作用がないか又は少ない無機系物質で被覆状態にしてなるマイクロカプセル化したものなどの手段を採用して、光触媒半導体をシート材に固定するようにする。
【００１９】
光触媒半導体は、包装体１を構成する通気性を有するシート材に対して、例えば、０．０３〜２０重量％、好ましくは、０．０５〜１０重量％の範囲で固定させる。
この場合、光触媒半導体の量が、０．０３％以下の場合は、光触媒半導体の効果が得られにくく、また、２０％以上の場合は、光触媒半導体の効果は得られるが、シート材に対する安定した固定が困難であるとともに、コスト高となる。
【００２０】
光触媒半導体を、包装体１を構成する通気性を有するシート材に対して固定する方法としては、コーティング方法を好適に用いることができる。
より具体的には、光触媒半導体を含有するシリコーン系樹脂又はフッ素系樹脂溶液を適度な粘度に調整して、ナイフコーターやグラビアロールコーター等で塗布した後、２００℃以下の温度で固定させることができる。
【００２１】
また、光触媒半導体を固定した包装体１を構成する通気性を有するシート材の片面側には、ヒートシール層を形成し、包装体１の端部１１等をヒートシールすることによって袋体を構成して、活性炭等の吸着剤２を容易に収容できるようにすることが望ましい。
【００２２】
また、吸着剤２には、ヤシ殻活性炭等の活性炭、備長炭、竹炭等の炭化物やシリカ等の吸着剤を、単独又は適宜配合して用いることができる。
【００２３】
ところで、この脱臭剤は、そのまま、あるいは、合成樹脂製、金属製等の網籠状の容器に詰めて、冷蔵庫や下駄箱等に設置することによって、活性炭等の吸着剤２により、臭気を吸着、除去することと併せて、吸着剤の包装体１を構成する光触媒半導体を固定した通気性を有するシート材により、臭気を分解、除去することができるが、さらに、図２に示すような、設置用包装体３に収容して、適宜箇所に設置することもできる。
この設置用包装体３は、上面に開口３１ａを形成した合成樹脂製の本体３１と、脱臭剤を内部に収容した状態で封をする下蓋３２とからなり、下蓋３２には、脱臭剤の包装体１と同種の光触媒半導体を固定した通気性を有するシート材を用いるようにする。
そして、この設置用包装体３は、設置用包装体３の端部３１ｃに折れ目３１ｂを形成し、この折れ目３１ｂに沿って端部３１ｃを下方に折り曲げることによって、設置用包装体３の設置面の下方に空間部を形成することができるようにしている。
これにより、設置用包装体３の設置面の下方に形成した空間部からの通気性等を確保し、コストをかけることなく、包装体１及び設置用包装体３を構成する光触媒半導体を固定した通気性を有するシート材（包装体１及び設置用包装体３の下蓋３２）による臭気の分解、除去効果を確実に発揮させることができるようにしている。
【００２４】
以上、本発明の脱臭剤について、その実施例を説明したが、本発明の脱臭剤は、上記実施例の記載に限定されるものではなく、本発明の脱臭剤の構成は、その趣旨を逸脱しない範囲において適宜に変更することが可能である。
【００２５】
【発明の効果】
本発明の脱臭剤によれば、活性炭等の吸着剤により、臭気を吸着、除去することと併せて、吸着剤の包装体を構成する光触媒半導体を固定した通気性を有するシート材により、臭気を分解、除去することができ、吸着剤の有効期間を延ばすとともに、吸着剤の吸着性能が低下した場合でも、光触媒半導体を固定したシート材が有する臭気の分解性能によって、臭気を分解、除去することができる。
そして、この脱臭剤は、吸着剤の包装体を構成する通気性を有するシート材に光触媒半導体を固定する構造のため、脱臭剤の製造コストの上昇を抑制することができ、比較的低コストで、長期間の使用に耐え得る脱臭剤を提供することができる。
【００２６】
また、包装体の設置面の下方に空間部を形成することにより、包装体を構成する光触媒半導体を固定した通気性を有するシート材による臭気の分解、除去効果を確実に発揮させることができる。
【００２７】
そして、包装体の設置面の下方の空間部は、包装体の端部を下方に折り曲げることによって形成することができ、これにより、コストをかけることなく、包装体を構成する光触媒半導体を固定した通気性を有するシート材による臭気の分解、除去効果を確実に発揮させることができる脱臭剤を得ることができる。
【図面の簡単な説明】
【図１】本発明の脱臭剤の一実施例を示し、（ａ）は斜視図、（ｂ）は断面図である。
【図２】同脱臭剤を収容する設置用包装体を示し、（ａ）は平面図、（ｂ）は正面図、（ｃ）は一部拡大した正面図である。
【符号の説明】
１    包装体
２    吸着剤
３    設置用包装体
３１  本体
３１ａ  開口
３１ｂ  折れ目
３１ｃ  端部
３２    下蓋
【図１】
2004267484.tif 000003
【図２】
2004267484.tif 000004